(57)【要約】【課題】血圧に基づいてマットの圧迫力を調整できて、患者が気分をそこないにくくできることと、褥瘡の発生を抑制できることのうちの少なくとも一方を実現できるベッドシステムを提供すること。【解決手段】ベッドシステム１が、流体が充填可能な袋状のマット３と、血圧値および経過時間を検出可能な検出装置と、血圧値や経過時間に基づいて、マット内の流体の圧力を調整する圧力調整装置とを備えるようにする。【選択図】図２
2017118902.tif 000002
【特許請求の範囲】
【請求項１】
流体が充填される袋状のマットと、
血圧値および経過時間のうちの少なくとも一方を検出する検出装置と、
上記血圧値および上記経過時間のうちの少なくとも一方に基づいて、上記マット内の上記流体の圧力を調整する圧力調整装置と、を備えるベッドシステム。
【請求項２】
上記マットは、身体が載せられる敷きマットと、上記身体に被せられる掛けマットとを有する、請求項１に記載のベッドシステム。
【請求項３】
上記マット内に配置された複数の粒子状体を備えている請求項１または２に記載のベッドシステム。
【請求項４】
上記マットを支持するベッドフレームと、
使用状態において、水平面に対して上記ベッドフレームを傾斜可能に支持する傾斜機構と、を備える請求項１から３のいずれか１つに記載のベッドシステム。 
【発明の詳細な説明】
【技術分野】
【０００１】
本発明は、ベッドシステムに関しており、例えば、病人など長時間ベッドに寝ている人のためのベッドシステムに関する。
【背景技術】
【０００２】
従来、ベッドとしては、特開２００３−５２７６２号公報（特許文献１）に記載されている介護用ベッドがある。この介護用ベッド（以下、単にベッドという）は、人の上半身を支える背もたれ板を備え、この背もたれ板は、ベッドフレームに対して回転可能になっている。このベッドは、ベッドフレームに対して背もたれ板を回転させることにより、人が上半身のみを起こすことが可能になっている。
【０００３】
上記従来のベッドは、人が上半身のみを起こすことができるから、人がベッドからより円滑に降りることができる。しかしながら、介護や入院等によって長期間ベッドに横たわっている人の場合、筋力等が弱っているため、上記従来のベッド、すなわち、上半身を起こすことができて、ベッドからの人のより円滑な下りが可能となるベッドを使用している場合ですら、人がベッドから転倒したりずれ落ちたり転落したりする場合がある。そして、人が上半身を起こし得るベッドが普及している現在でも、骨折の主要な原因の一つが、ベッドからの転倒や転落となっているのが現実である。
【先行技術文献】
【特許文献】
【０００４】
【特許文献１】特開２００３−５２７６２号公報（第１図）
【発明の概要】
【発明が解決しようとする課題】
【０００５】
これに対し、本願発明者は、使用状態において、ベッドにおける人体の載置面の全体が、水平面に対して傾斜可能で、人が起立する姿勢に近い位置まで起立可能なベッドを発明した（この発明は、本願出願時において公知でない）。ここで、このベッドは、人が起立する姿勢に近い位置まで載置面の全体が起立可能であるから、人が転倒したり転落することを大きく抑制できる。
【０００６】
しかしながら、このベッドの構成では、人の姿勢が、寝ている姿勢から起立する姿勢に近い姿勢まで大きく変動することになるから、マットによる身体の圧迫があると、血圧が大きく変動して立ち眩み等が生じる虞がある。
【０００７】
一方、これとは別に、入院患者等、長期間に亘ってベッドに横たわっている人の場合、体位の変動が少なくて、褥瘡（床ずれ）が起きることが知られている。したがって、病院等では、褥瘡を防止するため、看護婦さん等が、患者の寝ている姿勢を定期的に変える必要性があり、これが、看護婦さん等にとって大きな負担になっているという現実がある。
【０００８】
そこで、本発明の課題は、血圧に基づいてマットの圧迫力を調整できて、血圧の大きな上昇を防止できることと、褥瘡の発生を抑制できることのうちの少なくとも一方を実現できるベッドシステムを提供することにある。
【課題を解決するための手段】
【０００９】
上記課題を解決するため、この発明のベッドシステムは、
流体が充填される袋状のマットと、
血圧値および経過時間のうちの少なくとも一方を検出する検出装置と、
上記血圧値および上記経過時間のうちの少なくとも一方に基づいて、上記マット内の上記流体の圧力を調整する圧力調整装置と、を備えている。
【００１０】
本発明において、血圧値を検出可能な検出装置と、血圧値に基づいてマット内の流体の圧力を調整する圧力調整装置とを備える場合、血圧が変動するときに、マットの流体の圧力を変動できて、マットによる身体の締め具合を変動できる。したがって、血圧が上昇したときに、マットによる身体の締め具合を弱くできて、血圧の大きな変動を防止でき、患者が気分を損ねることを抑制できる。
【００１１】
また、本発明において、経過時間を検出可能な検出装置と、経過時間に基づいてマット内の流体の圧力を調整する圧力調整装置とを備える場合、経過時間が一定時間経過すると、マット内の流体圧を変動させることができる。したがって、一定時間毎にマットの形状を変動できて、その形状の変動によって患者の体位を変動させることができるから、患者の褥瘡を自動的に抑制できる。
【００１２】
また、一実施形態では、
上記マットは、身体が載せられる敷きマットと、上記身体に被せられる掛けマットとを有する。
【００１３】
尚、上記敷きマットの流体圧と、掛けマットの流体圧とは、同一でも良く、互いに異なっていても良い。
【００１４】
上記実施形態によれば、マットが、身体が載せられる敷きマットと、身体に被せられる掛けマットとを有して、マットが、赤ちゃんを包み込むおくるみ状の構造を有している。したがって、マットが人を包み込むような構造であるから、人が寝ている姿勢から起立する姿勢まで起立可能な構造であっても、マットで人を安定的に保持できて、人がベッドから転倒することを防止できる。
【００１５】
また、特に、上記実施形態において、血圧値を検出可能な検出装置と、血圧値に基づいてマット内の流体の圧力を調整する圧力調整装置とを備える場合、ベッドの起立動作の際、血圧の上昇にしたがって、掛けマットの流体圧を低減するようにすると、ベッドの起立の際に、血圧の大きな上昇を抑制できて、人が気分を害する虞を低くできる。
【００１６】
また、一実施形態では、
上記マット内に配置された複数の粒子状体を備える。
【００１７】
上記実施形態によれば、マット内に複数の粒子状体が存在するから、マット内の流体圧を下げた場合に、上記複数の粒子状体で、マットの形状をマット上の人体の形状に沿った形状とできる。したがって、流体圧が低い場合に、身体を包み込んで保持する硬い状態を実現できる。
【００１８】
また、一実施形態では、
上記マットを支持するベッドフレームと、
使用状態において、水平面に対して上記ベッドフレームを傾斜可能に支持する傾斜機構と、を備える。
【００１９】
上記実施形態によれば、寝ている人に立ち上がり動作を強いることがなく、寝ている人の立ち上がりを支援できる。
【発明の効果】
【００２０】
本発明のベッドシステムによれば、マットの圧迫に基づく血圧の上昇を緩和できて、患者が気分をそこないにくくでき、褥瘡の発生を抑制できる。
【図面の簡単な説明】
【００２１】
【図１】前方より見た一実施形態に係るベッドシステムの斜視図である。
【図２】上記実施形態に係るベッドシステムの主要模式構成図である。
【図３】上記実施形態に係るマットの模式正断面図である。
【図４】標準状態において荷重が掛かっていないときのマットの模式正断面図である。
【図５】標準状態において身体が載せられたときのマットの模式正断面図である。
【図６】脱気状態において身体を保持しているときのマットの模式正断面図である。
【図７】空気充填状態において身体を保持しているときのマットの模式正断面図である。
【図８】変形例のマットを示す模式図である。
【発明を実施するための形態】
【００２２】
図１は、前方より見た一実施形態に係るベッドシステム１の斜視図である。ベッドシステム１は、ベッドフレーム２、マット３、カプセル１０、および支持台車１１を備える。上記ベッドフレーム２およびマット３は、カプセル１０内に配置されている。マット３はベッドフレーム２に支持されている。支持台車１１は、カプセル１０を支持し、人がマット３上に横たわっている使用状態（支持台車１１が水平面に載置されている状態）において、カプセル１０を水平面に対して傾斜可能となっている。
【００２３】
カプセル１０は、ケース１２およびキャノピー（天蓋）１３を備えている。キャノピー１３は、ケース１２に対して開閉自在である。キャノピー１３が閉じられているとき、カプセル１０の内部に密閉空間が形成され、プライベートな空間が構築される。キャノピー１３は、透明部材で形成されている。看護婦さん等の介護者は、キャノピー１３が閉じられている状態でも、キャノピー１３を介してマット３上に寝ている人を視認できるようになっている。
【００２４】
支持台車１１は、前フレーム１４と、後フレーム１５と、前フレーム１４と後フレーム１５とを連結する２つの伸縮シリンダ１６とを備えている。前フレーム１４および後フレーム１５はそれぞれ、左右に配置された２つの車輪１７を備えている。上記支持台車１１は、ベッドフレーム２の下部前端と前フレーム１４とを回転自在に連結する２つのヒンジ１８と、ベッドフレーム２の下部中央と後フレーム１５とを回転自在に連結する２つの支持アーム１９とを備える。上記支持台車１１は、床面上を走行可能な台車の機能と、台車に対してベッドフレーム２を傾斜可能に支持する傾斜機構とを兼用している。前フレーム１４、後フレーム１５、４つの車輪１７、および２つの伸縮シリンダ１６は、床面上を走行可能な台車を構成している。上記２つのヒンジ１８、２つの伸縮シリンダ１６、および２つの支持アーム１９は、台車に対してベッドフレーム２を傾斜可能に支持する傾斜機構を構成している。
【００２５】
支持台車１１（傾斜機構）は、カプセル１０（ベッドフレーム２）を全体的に傾斜できる。具体的には、伸縮シリンダ１６を伸張させることにより、ベッドフレーム２を倒す（水平に保つ）ことができる。また、伸縮シリンダ１６を短縮させることにより、ベッドフレーム２を起立させることができる。
【００２６】
図２は、上記ベッドシステム１の主要構成図である。
【００２７】
図２に示すように、ベッドシステム１は、ベッドフレーム２およびマット３の他に、２つの空気ポンプ４Ａ、４Ｂ、制御装置５、操作装置６、計時装置７、および血圧計８を備える。上記計時装置７は、経過時間を測定し、血圧計８は、人の血圧値を検出するようになっている。上記計時装置７および血圧計８は、検出装置を構成している。上記制御装置５は、計時装置７からの経時時間を表す信号と、血圧計８からの血圧を表す信号と、操作装置６からの空気圧を表す信号とを受信可能になっている。また、上記制御装置５は、空気ポンプ４Ａ、４Ｂに空気量を表す制御信号を出力可能となっている。上記制御装置５および空気ポンプ４Ａ、４Ｂは、圧力調整装置を構成している。また、上記制御装置５は、２つの伸縮シリンダ１６（図１参照）に伸縮度合を表す信号を出力可能となっている。操作者は、操作装置６を用いて、空気ポンプ４Ａ、４Ｂを駆動させ、あるいは停止できるようになっている。また、操作者は、操作装置６を用いて、車輪１７が水平面に載置されているときに、カプセル１０（図１参照）を、水平面に対して自在の傾斜角度で停止させたり、水平面に対して平行な状態で静止させることができるようになっている。また、図２に示すように、上記マット３は、身体Ｈが載せられる敷きマット３０Ａと、身体Ｈに被せられる掛けマット３０Ｂとを備えている。
【００２８】
図３は、上記マット３の模式正断面図である。
【００２９】
図３を参照して、上記敷きマット３０Ａは、その幅方向の一端部に一端側マジックテープ部８０を有する一方、その幅方向の他端部に他端側マジックテープ部８１を有する。また、上記掛けマット３０Ｂは、その幅方向の一端部に一端側マジックテープ部９０を有する一方、その幅方向の他端部に他端側マジックテープ部９１を有する。図３に示すように、敷きマット３０Ａの一端側マジックテープ部８０を、掛けマット３０Ｂの一端側マジックテープ部９０に係止する一方、敷きマット３０Ａの他端側マジックテープ部８１を、掛けマット３０Ｂの他端側マジックテープ部９１に係止するようになっている。このようにして、掛けマット３０Ｂを、敷きマット３０Ａに係止可能になっている。上記敷きマット３０Ａは、袋体３１Ａと、袋体３１Ａ内に配置された複数のビーズ３３とを有する。上記各ビーズ３３は、粒子状体を構成している。上記各ビーズ３３は、プラスチック等の樹脂硬質材からなっていても良く、例えば、プラスチック等の樹脂からなっていても良い。また、上記各ビーズ３３は、軟質材からなっていても良く、例えば、ゴム等の弾性部材からなっていても良い。また、上記袋体３１は、軟質材からなり、袋体３１に掛かる荷重によって変形可能となっている。袋体３１は開口を有しており、この開口にはフィルタが設けられている。上記フィルタは、空気３２の通過を許容するが、ビーズ３３の通過を許容しないようになっている。同様に、上記掛けマット３０Ｂも、袋体３１Ｂと、袋体３１Ｂ内に配置された複数のビーズ３３とを有している。上記袋体３１Ｂの開口には、フィルタが設けられている。
【００３０】
２つの空気ポンプ４Ａ、４Ｂは、それぞれ、空気管４１を介して袋体３１Ａの開口および袋体３１Ｂの開口に接続されている。空気ポンプ４Ａ、４Ｂは、それぞれ、駆動時に流体の一例としての空気の吸引または吐出を実行でき、停止時に空気の移動を妨げる。上記空気ポンプ４Ａは、袋体３１Ａ内の空気３２の量を変動できるようになっている。また、上記空気ポンプ４Ａは、袋体３１Ａ内の空気３２の量が変動しない状態を維持できるようになっている。同様に、空気ポンプ４Ｂは、袋体３１Ｂ内の空気３２の量を変動できるようになっている。また、上記空気ポンプ４Ｂは、袋体３１Ａ内の空気３２の量が変動しない状態を維持できるようになっている。
【００３１】
以下、図４、図５、図６、図７を参照して、敷きマット３０Ａの状態を説明する。上記敷きマット３０Ａは、標準状態（図４、図５）と、脱気状態（図６）と、空気充填状態（図７）とを取り得ることができるようになっている。
【００３２】
図４は、標準状態において荷重が掛かっていないときの敷きマット３０Ａの模式正断面図である。
【００３３】
標準状態は、人が就寝する際のマット３０Ａの状態を表し、この状態で、袋体３１Ａの空気の量は一定量に保たれている。図４において、敷きマット３０Ａの上面３５Ａは、略同一平面となっている。
【００３４】
図５は、標準状態において身体Ｈが載せられたときの敷きマット３０Ａの模式正断面図である。
【００３５】
図４の標準状態の敷きマット３０Ａに身体Ｈが載せられると、敷きマット３０Ａは身体Ｈの荷重のため変形する。ここで、空気ポンプ４Ａの駆動は停止されており、図４および図５の間で袋体３１Ａの容積は変化していない。このため、図５において、敷きマット３０Ａは、窪んだ形状に変形している。上記標準状態では、敷きマット３０Ａは、身体形状に沿って変形する柔らかい状態になっている。上記標準状態では、敷きマット３０Ａを、ビーズ（粒子）３３の流動性を利用して対象物形状になじませることが可能になっている。
【００３６】
図６は、脱気状態において身体Ｈを保持しているときの敷きマット３０Ａの正断面図である。
【００３７】
脱気状態を、図４、図５の標準状態と比べて、袋体３１内の空気の量が少なくて、袋体３１内の容積が小さい状態として定義する。空気ポンプ４Ａの駆動により、図５に示す標準状態の敷きマット３０Ａから空気３２が吸引されると、袋体３１Ａの容積が小さくなる。その後、空気ポンプ４Ａの駆動が停止されると、袋体３１Ａの容積が一定となり、敷きマット３０Ａの状態が、脱気状態になる。脱気状態では、敷きマット３０Ａは、身体Ｈを包み込むように変形できる。上記脱気状態は、身体を包み込んで保持する硬い状態である。脱気状態では、敷きマット３０Ａは、脱気により対象物を包み込んで保持できるようになっている。
【００３８】
図７は、空気充填状態において身体Ｈを保持しているときの敷きマット３０Ａの模式正断面図である。
【００３９】
空気充填状態を、図４、図５の標準状態と比べて、袋体３１内の空気の量が多くて、袋体３１内の容積が大きい状態として定義する。上記空気充填状態は、標準状態から敷きマット３０Ａに空気３２を供給することにより実現されるようになっている。上記空気充填状態では、敷きマット３０Ａ内の空気量は、一定となっている。空気充填状態は、身体に圧をかけて支える硬い状態である。空気充填状態では、敷きマット３０Ａは、空気の充填により対象物へ均一に圧力をかけた状態で対象物を支持できるようになっている。尚、上記図４〜図７では、敷きマット３０Ａを用いて、標準状態、脱気状態、空気充填状態を説明したが、掛けマット３０Ｂも、同様に、標準状態、脱気状態または空気充填状態を取り得ることができるようになっている。掛けマット３０Ｂにおいても、標準状態は、就寝するときに好適に使用できる状態である。また、掛けマット３０Ｂにおいても、脱気状態よりも、標準状態の方が、掛けマット３０Ｂ内の空気の量が多く、標準状態よりも、空気充填状態の方が、掛けマット３０Ｂ内の空気の量が多くなっている。
【００４０】
上記構成において、このベッドシステム１では、敷きマット３０Ａ上に寝ている人を、例えば、次のように起立させることができるようになっている。
【００４１】
詳しくは、先ず、敷きマット３０Ａ上に寝ている人を起立させる前に、看護婦さん等が、操作装置６を使用して、敷きマット３０Ａを脱気状態とする一方、掛けマット３０Ｂを空気充填状態とする。この状態で、操作装置６を使用して、伸縮シリンダ１６を序々に縮小させることにより、カプセル１０を水平面に略平行な状態から、鉛直方向側に人が直立可能な状態まで序々に傾斜させるようになっている。
【００４２】
また、カプセル１０の傾斜動作を行っている最中に、制御装置５は、常時、血圧計８からの信号を受けるようになっている。そして、血圧が、所定値以上、上昇した場合には、伸縮シリンダ１６の動作を一時的に停止して、カプセル１０の傾斜を一時的に停止すると共に、掛けマット３０Ｂから空気を抜いて、掛けマット３０Ｂから人が受ける圧迫力を低下させるようにしている。このようにして、人が起き上がる際の血圧の上昇を抑制して、人が、気分が悪くなりにくいようにしている。尚、身体Ｈが、マット３から如何に圧力を受けているか否かは、例えば、敷きマット３０Ａの掛けマット３０Ｂ側の面や、掛けマット３０Ｂの敷きマット３０Ａ側の面に、接触圧を測定する感圧センサを設置すると、より客観的に判断することができる。
【００４３】
また、このベッドシステムは、以下の制御を行うことにより、褥瘡（床ずれ）を抑制するようになっている。
【００４４】
すなわち、ユーザーが操作装置６から制御装置５に褥瘡抑制を示す信号を入力すると、計時装置７が、制御装置５からの経時開始を表す信号を受けて、時間の計測を開始するようになっている。また、これと同時に、制御装置５が、ポンプ４Ａ,４Ｂにマット３を標準状態にすることを表す信号を出力し、ポンプ４Ａ,４Ｂから空気を吸入されたマット３が標準状態になるようになっている。
【００４５】
次に、制御装置５は、計時装置７から第１の所定時間が経過したことを表す第１信号を受けると、ポンプ４Ａ,４Ｂにマット３を空気充填状態にする信号を出力するようになっている。すると、ポンプ４Ａ,４Ｂは、その信号を受けて、マット３内に空気を送り込み、マット３が空気充填状態になるようになっている。
【００４６】
次に、制御装置５は、計時装置７から、計時装置７が第１信号を出力してから第２の所定時間が経過したことを表す第２信号を受けると、ポンプ４Ａ,４Ｂにマット３を標準状態にすることを表す信号を出力するようになっている。すると、マット３が、ポンプ４Ａ,４Ｂから空気を吸引されて、標準状態になるようになっている。
【００４７】
その後、計時装置７は、第２信号を制御装置５に出力してから、上記第１の所定時間が経過すると、上記第１信号を制御装置５に出力するようになっている。その後、上述の制御が繰り返されるようになっている。この制御の繰り返しは、ユーザーが操作装置５に褥瘡抑制の解除を表す信号を入力するまで継続されるようになっている。
【００４８】
尚、この実施形態では、上記第１の所定時間や、上記第２の所定時間は、操作装置６から直接計時装置７に入力できるか、または、操作装置６から制御装置５を介して間接的に計時装置７に入力できるようになっている。尚、上記第１の所定時間は、例えば、１５分や、３０分や、１時間や、１時間半といった時間を好適に設定でき、また、上記第２の所定時間としては、１分や、１分３０秒や、２分といった時間を好適に設定できる。しかしながら、上記第１の所定時間と、上記第２の所定時間とを、それ以外の時間に設定できることは言うまでもない。
【００４９】
簡潔に述べると、制御装置５が、経過時間に基づいて、袋体３１Ａ、３１Ｂの容積が定期的に変化するように、空気ポンプ４Ａ、４Ｂを制御する。ここで、上記袋体３１Ａ、３１Ｂの容積が時間経過に伴って変化することにより、身体Ｈがマット３内で揺り動かされ、身体Ｈとマット３との接触位置が変化する。このため、床ずれの発生が防止されるのである。なお、マット３が水平に保たれているときは、掛けマット３０Ｂは取り除かれていてもよく、敷きマット３０Ａのみが用いられてもよい。
【００５０】
上記実施形態によれば、血圧値を検出可能な血圧計８と、血圧値に基づいてマット３内の流体の圧力を調整する圧力調整装置を備えるから、血圧が変動するときに、マット３の流体の圧力を変動できて、マット３による身体の締め具合を変動できる。したがって、血圧が上昇したときに、マット３による身体の締め具合を弱くできて、患者が気分を損ねることを抑制できる。
【００５１】
また、上記実施形態によれば、経過時間を検出可能な計時装置７と、経過時間に基づいてマット３内の流体の圧力を調整する圧力調整装置を備えるから、経過時間が一定時間経過すると、マット３内の流体圧を変動させることができる。したがって、一定時間毎にマット３の反発力を変動できて、その反発力の変動によって患者の体位を変動させることができて、患者の褥瘡を自動的に抑制できる。したがって、看護婦さん等の介護者の負担を格段に低減できる。
【００５２】
また、上記実施形態によれば、マット３が、身体が載せられる敷きマット３０Ａと、身体に被せられる掛けマット３０Ｂとを有して、マット３が、赤ちゃんを包み込むおくるみ状の構造を有している。したがって、マット３が人を包み込むような構造であるから、ベッドが、人が寝ている姿勢から起立する姿勢まで起立可能な構造であっても、マット３で人を安定的に保持できる。
【００５３】
また、上記実施形態によれば、ベッドが起立可能な構造であって、かつ、血圧値を検出可能な血圧計８と、血圧値に基づいてマット３内の流体の圧力を調整する圧力調整装置を備えるから、ベッドの起立動作の際、血圧が所定以上上昇した場合に、掛けマット３０Ｂの流体圧を低減できる。したがって、ベッドの起立の際に、人が掛けマット３０Ｂから好ましくない圧迫力を受けることを抑制できて、人が気分を害する可能性を低くできる。
【００５４】
また、上記実施形態によれば、マット３内に複数のビーズ３３が存在するから、マット３内の流体圧を下げた場合に、上記複数のビーズ３３で、マット３の形状をマット３上の人体の形状に沿った形状とできる。したがって、流体圧が低い場合に、身体を包み込んで保持する硬い状態を実現できる。
【００５５】
また、上記実施形態によれば、使用状態において、水平面に対してベッドフレーム２を傾斜可能に支持する傾斜機構を備えるから、寝ている人に立ち上がり動作を強いることがなく、寝ている人の立ち上がりを支援できる。
【００５６】
尚、上記実施形態では、敷きマット３０Ａと、掛けマット３０Ｂとを有し、敷きマット３０Ａと、掛けマット３０Ｂの流体圧を、互いに独立に設定できた。しかしながら、この発明では、敷きマットの流体圧と、掛けマットの流体圧とは、常に、同一でも良く、また、敷きマットの流体圧と、掛けマットの流体圧は、一時的かまたは全ての時間において、互いに異なっても良い。
【００５７】
また、上記実施形態では、マットが、敷きマット３０Ａと、掛けマット３０Ｂとを有していたが、この発明では、マットは、敷きマットのみであっても良い。
【００５８】
また、上記実施形態では、ベッドシステムが、傾斜機構を備えて、使用状態において、ベッドフレーム２を水平面に対して自在の角度に傾斜可能とできて変動可能とできた。しかしながら、この発明では、ベッドフレームは、傾斜機構を有さなくても良く、使用状態において、水平面に対して変動不可能であっても良い。また、上記実施形態では、ベッドシステム１が、車輪１７を有していたが、この発明では、ベッドシステムは、車輪を有していなくて、周知の四つの脚部を有する構成であっても良い。この発明では、ベッドシステムは、マットの床面を載置するためのフレーム部と、四つの脚部とを備える周知の構成であっても良いのである。
【００５９】
また、上記実施形態では、マット３内に封入される流体が、空気であったが、この発明では、マット内に封入される流体は、空気以外の気体であっても良く、水であっても良く、水以外の液体であっても良く、ゲル状の物質であっても良い。
【００６０】
また、上記実施形態では、マット３内に複数のビーズ３３を封入していたが、この発明では、マット内にビーズ以外の如何なる粒子状体を封入しても良く、例えば、マット内にそばがらや、パイプ粒子や、木製の粒子や、ラテックスや、ゴムで出来た粒子状体等を封入しても良い。また、この発明では、少なくとも一つのマット内に粒子状体を封入しなくても良い。
【００６１】
また、上記実施形態では、検出装置が、計時装置７と、血圧計８とを有して、血圧制御と、褥瘡抑制の両方を実現できた。しかしながら、この発明では、検出装置は、計時装置を有する一方、血圧計を有していなくても良く、ベッドシステムが、血圧制御を出来ずに、褥瘡抑制しかできなくても良い。また、この発明では、血圧計を有する一方、計時装置を有していなくても良く、ベッドシステムが、褥瘡抑制を出来ずに、血圧制御しかできなくても良い。
【００６２】
また、上記実施形態では、標準状態の敷きマット３０Ａを、空気充填状態にした後、標準状態にすることにより、人体の体位を変動させるようにして、褥瘡抑制を行った。しかしながら、この発明では、標準状態の敷きマットを、脱気状態にした後、標準状態に戻して、人体の体位を変動させるようにして、褥瘡抑制を行っても良い。また、標準状態の敷きマットを、空気充填状態にした後、脱気状態にして、その後、標準状態に戻して、褥瘡抑制を行っても良く、または、標準状態の敷きマットを、脱気状態にした後、空気充填状態にして、その後、標準状態に戻して、褥瘡抑制を行っても良い。また、この発明では、敷きマット内の流体の量を一定時間の間に複雑に変動させて人の体位を変えることにより、褥瘡抑制を行っても良い。この発明では、定期的にマット内の流体量を変えて、マットを変形させる如何なる制御を行うことによって、褥瘡抑制を行っても良いのである。
【００６３】
また、上記実施形態では、敷きマット３０Ａにおける掛けマット３０Ｂ側の面に感圧センサが存在すると共に、掛けマット３０Ｂにおける敷きマット３０Ａ側の面にも感圧センサが存在した。しかしながら、この発明では、敷きマットにおける掛けマット側の面のみに感圧センサが存在しても良く、掛けマットにおける敷きマット側の面のみに感圧センサが存在しても良い。また、この発明では、敷きマットのみしか存在しない場合に、敷きマットに感圧センサを配置しても良く、この発明では、感圧センサが全く存在しなくても良い。
【００６４】
また、上記実施形態では、敷きマット３０Ａと、掛けマット３０Ｂとを、二箇所でマジックテープにより係止するようになっていた。しかしながら、この発明では、図８、すなわち、変形例のマット１０３の模式図に示すように、敷きマット部１３０Ａと、掛けマット部１３０Ｂとが、接続部１４０を介して繋がり、敷きマット部１３０Ａの幅方向の接続部１４０側とは反対側にマジックテープ部１４１が存在する一方、掛けマット部１３０Ｂの幅方向の接続部１４０側とは反対側にマジックテープ部１４２が存在する構成でも良い。そして、マジックテープ部１４１と、マジックテープ部１４２とを係合することにより、マット１０３で身体を取り囲むようにしても良い。また、この発明では、マットは、寝袋状の構造であっても良い。また、上記実施形態および変形例で説明した構成のうちの二以上の構成を組み合わせて新たな実施形態を構築できることは、勿論である。
【符号の説明】
【００６５】
１  ベッドシステム
２  ベッドフレーム
３,１０３  マット
４Ａ、４Ｂ  空気ポンプ
５  制御装置
６  操作装置
７  計時装置
８  血圧計
１１  支持台車
３０Ａ  敷きマット
３０Ｂ  掛けマット
３１Ａ  袋体
３１Ｂ  袋体
３２  空気
３３  ビーズ
１３０Ａ  敷きマット部
１３０Ｂ  掛けマット部
Ｈ  身体
【図１】
2017118902.tif 000003
【図２】
2017118902.tif 000004
【図３】
2017118902.tif 000005
【図４】
2017118902.tif 000006
【図５】
2017118902.tif 000007
【図６】
2017118902.tif 000008
【図７】
2017118902.tif 000009
【図８】
2017118902.tif 000010